(57)【要約】【課題】バッテリーの周辺部の部品点数が増加することを抑え、バッテリーの周辺部の構造が簡略化することができるバッテリーの固定構造を提供すること。【解決手段】バッテリーの固定構造８は、互いに異なる大きさのバッテリーが着脱可能とされたバッテリーの固定構造であって、バッテリー９が通過可能な開口部４１１を有する筐体４１と、筐体４１に対して軸支され開口部４１１を開閉可能な蓋部８１と、バッテリー９の端子９１に接続可能なコネクタ部８２１を有しバッテリー９を保持する保持部８２と、筐体４１に対して所定方向に移動可能に設けられたバッテリー押さえ部８３と、を備える。バッテリー９が保持部８２に保持された状態において蓋部８１が開口部４１１を閉じると、バッテリー押さえ部８３は、所定方向の移動を蓋部８１により抑制されるとともにバッテリー９の所定方向の移動を抑制する。【選択図】図７
2018113236.tif 000002
【特許請求の範囲】
【請求項１】
互いに異なる大きさのバッテリーが着脱可能とされたバッテリーの固定構造であって、
前記バッテリーが通過可能な開口部を有する筐体と、
前記筐体に対して軸支され前記開口部を開閉可能な蓋部と、
前記バッテリーの端子に接続可能なコネクタ部を有し前記バッテリーを保持する保持部と、
前記筐体に対して所定方向に移動可能に設けられたバッテリー押さえ部と、
を備え、
前記バッテリーが前記保持部に保持された状態において前記蓋部が前記開口部を閉じると、前記バッテリー押さえ部は、前記所定方向の移動を前記蓋部により抑制されるとともに前記バッテリーの前記所定方向の移動を抑制することを特徴とするバッテリーの固定構造。
【請求項２】
前記バッテリー押さえ部は、前記所定方向に交差した前記バッテリーの側面を押さえるストッパ部を有することを特徴とする請求項１に記載のバッテリーの固定構造。
【請求項３】
前記ストッパ部は、前記保持部から前記筐体の前記開口部に向かうにつれて前記開口部の外側に向かって傾斜した傾斜部を有することを特徴とする請求項２に記載のバッテリーの固定構造。
【請求項４】
前記蓋部は、前記開口部を閉じた状態において前記保持部に向かって延びる突起部を有し、
前記バッテリー押さえ部は、前記蓋部が前記開口部を閉じた状態において前記所定方向の移動が前記突起部により抑制される当接部を有することを特徴とする請求項１〜３のいずれか１項に記載のバッテリーの固定構造。
【請求項５】
前記当接部は、前記保持部から前記筐体の前記開口部に向かうにつれて前記開口部の外側に向かって傾斜した案内部であって前記蓋部が前記開口部を閉じる途中において前記突起部に接触可能な案内部を有することを特徴とする請求項４に記載のバッテリーの固定構造。
【発明の詳細な説明】
【技術分野】
【０００１】
本発明は、互いに異なる大きさのバッテリーが着脱可能とされたバッテリーの固定構造に関する。
【背景技術】
【０００２】
特許文献１には、距離測定装置が開示されている。特許文献１に記載された距離測定装置は、測距部からの測距結果や、測角部からの鉛直角および水平角の測角結果を表示部に表示する。例えば特許文献１に記載されたような距離測定装置では、互いに異なる大きさのバッテリーが電源として使用可能とされ、距離測定装置に対して抜き差し可能とされている。
【０００３】
一般的に、相対的に大きいバッテリーの容量は、相対的に小さいバッテリーの容量よりも大きい。そのため、相対的に大きいバッテリーの寿命は、相対的に小さいバッテリーの寿命よりも長い。言い換えれば、相対的に小さいバッテリーの容量は、相対的に大きいバッテリーの容量よりも小さい。そのため、相対的に小さいバッテリーの寿命は、相対的に大きいバッテリーの寿命よりも短い。
【０００４】
例えば、相対的に大きいバッテリーが電源として使用される場合には、バッテリーを覆う蓋部が、バッテリーを押さえ、バッテリーの端子がコネクタ部から外れることを抑制する。一方で、相対的に小さいバッテリーが電源として使用される場合には、相対的に小さいバッテリーの見かけ上の大きさが相対的に大きいバッテリーの大きさと同等になるように、アダプタなどが相対的に小さいバッテリーに装着される。これにより、相対的に小さいバッテリーが電源として使用される場合であっても、バッテリーを覆う蓋部が、バッテリーを押さえ、バッテリーの端子がコネクタ部から外れることを抑制する。
【先行技術文献】
【特許文献】
【０００５】
【特許文献１】特開２００６−１０５８０２号公報
【発明の概要】
【発明が解決しようとする課題】
【０００６】
しかし、相対的に小さいバッテリーが使用される場合にアダプタが使用されると、バッテリーの周辺部の部品点数が増加するとともに、バッテリーの周辺部の構造が複雑になる。この点において、改善の余地がある。
【０００７】
本発明は、前記課題を解決するためになされたものであり、バッテリーの周辺部の部品点数が増加することを抑え、バッテリーの周辺部の構造が簡略化することができるバッテリーの固定構造を提供することを目的とする。
【課題を解決するための手段】
【０００８】
前記課題は、本発明によれば、互いに異なる大きさのバッテリーが着脱可能とされたバッテリーの固定構造であって、前記バッテリーが通過可能な開口部を有する筐体と、前記筐体に対して軸支され前記開口部を開閉可能な蓋部と、前記バッテリーの端子に接続可能なコネクタ部を有し前記バッテリーを保持する保持部と、前記筐体に対して所定方向に移動可能に設けられたバッテリー押さえ部と、を備え、前記バッテリーが前記保持部に保持された状態において前記蓋部が前記開口部を閉じると、前記バッテリー押さえ部は、前記所定方向の移動を前記蓋部により抑制されるとともに前記バッテリーの前記所定方向の移動を抑制することを特徴とするバッテリーの固定構造により解決される。
【０００９】
前記構成によれば、バッテリーの端子に接続可能なコネクタ部を有する保持部に対してバッテリーが保持された状態において、筐体に対して軸支された蓋部が筐体の開口部を閉じると、バッテリー押さえ部は、所定方向の移動を蓋部により抑制され、バッテリーの所定方向の移動を抑制する。そのため、相対的に大きいバッテリーが電源として使用される場合、および相対的に小さいバッテリーが電源として使用される場合の両方において、バッテリーの所定方向の移動がバッテリー押さえ部により抑制される。そのため、例えば相対的に小さいバッテリーの見かけ上の大きさを相対的に大きいバッテリーの大きさと同等にするアダプタが不要になる。これにより、バッテリーの周辺部の部品点数が増加することを抑え、バッテリーの周辺部の構造が簡略化することができる。
【００１０】
好ましくは、前記バッテリー押さえ部は、前記所定方向に交差した前記バッテリーの側面を押さえるストッパ部を有することを特徴とする。
【００１１】
前記構成によれば、バッテリー押さえ部が有するストッパ部は、所定方向に交差したバッテリーの側面を押さえる。これにより、バッテリー押さえ部のストッパ部は、バッテリーが所定方向に移動することをより確実に抑制することができる。
【００１２】
好ましくは、前記ストッパ部は、前記保持部から前記筐体の前記開口部に向かうにつれて前記開口部の外側に向かって傾斜した傾斜部を有することを特徴とする。
【００１３】
前記構成によれば、ストッパ部が有する傾斜部は、保持部から筐体の開口部に向かうにつれて開口部の外側に向かって傾斜している。そのため、傾斜部は、保持部に対するバッテリーの装着を案内することができる。つまり、使用者は、筐体の開口部を通して保持部に対してバッテリーを容易に装着することができる。
【００１４】
好ましくは、前記蓋部は、前記開口部を閉じた状態において前記保持部に向かって延びる突起部を有し、前記バッテリー押さえ部は、前記蓋部が前記開口部を閉じた状態において前記所定方向の移動が前記突起部により抑制される当接部を有することを特徴とする。
【００１５】
前記構成によれば、蓋部は、筐体の開口部を閉じた状態において保持部に向かって延びる突起部を有する。一方で、バッテリー押さえ部は、蓋部が筐体の開口部を閉じた状態において所定方向の移動が突起部により抑制される当接部を有する。すなわち、当接部が所定方向に移動することを突起部により抑制されるため、バッテリー押さえ部は、蓋部が筐体の開口部を閉じた状態において所定方向に移動することを抑制される。これにより、バッテリー押さえ部は、バッテリーを押さえた状態においてバッテリーの所定方向の移動をより確実に抑制することができる。
【００１６】
好ましくは、前記当接部は、前記保持部から前記筐体の前記開口部に向かうにつれて前記開口部の外側に向かって傾斜した案内部であって前記蓋部が前記開口部を閉じる途中において前記突起部に接触可能な案内部を有することを特徴とする。
【００１７】
前記構成によれば、当接部は、保持部から筐体の開口部に向かうにつれて開口部の外側に向かって傾斜した案内部を有する。当接部の案内部は、蓋部が開口部を閉じる途中において蓋部の突起部に接触可能とされている。そのため、バッテリー押さえ部は、蓋部が開口部を閉じる際に、蓋部の突起部に対して案内部において接触し、筐体に対して所定方向により確実に移動してバッテリーを押さえる。これにより、バッテリーの所定方向の移動をより確実に抑制することができる。
【発明の効果】
【００１８】
本発明によれば、バッテリーの周辺部の部品点数が増加することを抑え、バッテリーの周辺部の構造が簡略化することができるバッテリーの固定構造を提供することができる。
【図面の簡単な説明】
【００１９】
【図１】本発明の実施形態に係るバッテリーの固定構造が搭載されたトータルステーションを表す斜視図である。
【図２】本発明の実施形態に係るバッテリーの固定構造が搭載されたトータルステーションを表す斜視図である。
【図３】本実施形態に係るバッテリーの固定構造を表す斜視図である。
【図４】本実施形態に係るバッテリーの固定構造を表す斜視図である。
【図５】本実施形態に係るバッテリーの固定構造を表す斜視図である。
【図６】本実施形態に係るバッテリーの固定構造を表す平面図である。
【図７】図６に表した切断面Ａ−Ａにおける断面図である。
【図８】図６に表した切断面Ａ−Ａにおける断面図である。
【図９】図６に表した切断面Ａ−Ａにおける断面図である。
【図１０】本実施形態の第１変形例に係るバッテリーの固定構造を表す断面図である。
【図１１】本実施形態の第２変形例に係るバッテリーの固定構造を表す断面図である。
【発明を実施するための形態】
【００２０】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２１】
図１および図２は、本発明の実施形態に係るバッテリーの固定構造が搭載されたトータルステーションを表す斜視図である。
なお、図１は、トータルステーションを操作表示部の側から眺めた斜視図である。図２は、トータルステーションを操作表示部とは反対の側から眺めた斜視図である。
【００２２】
図１および図２では、本実施形態に係るバッテリーの固定構造８は、測距および測角を行う測量機（トータルステーション）２に搭載されている。但し、本実施形態に係るバッテリーの固定構造は、トータルステーション２に搭載されることには限定されず、バッテリーが電源として使用可能な他の装置や機器に搭載されてもよい。本実施形態の説明では、バッテリーの固定構造がトータルステーション２に搭載された場合を例に挙げる。
【００２３】
図１および図２に表したトータルステーション２は、基台部３と、架台４と、視準望遠鏡部５と、操作表示部６と、バッテリーの固定構造８と、を備える。架台４は、基台部３を介して例えば三脚（図示せず）などに設置される。基台部３は、整準螺子３１を有する。架台４は、整準螺子３１による整準が行われることで、水平に維持される。図１および図２に表した矢印Ａ１１のように、架台４は、鉛直軸Ａ２１を中心として回転可能とされている。
【００２４】
視準望遠鏡部５は、架台４に支持されている。図１および図２に表した矢印Ａ１２のように、視準望遠鏡部５は、水平軸Ａ２２を中心として回転可能とされている。
【００２５】
操作表示部６は、架台４に設けられている。図１に表したように、操作表示部６は、表示部６１と、操作部６２と、を有する。表示部６１には、例えば測距および測角の測定結果などが表示される。トータルステーション２の使用者は、測距および測角を行う際に、測定条件などを操作部６２により入力する。具体的には、操作部６２は、テンキー部６２１と、機能選択キー部６２２と、カーソルキー部６２３と、を有する。例えば、使用者は、機能選択キー部６２２を用いて、測距モードや、自動焦点モードや、手動焦点モードなどの機能を選択する。
【００２６】
図２に表したように、バッテリーの固定構造８は、架台４の側方部に設けられている。バッテリーの固定構造８は、架台４の筐体に対して軸支された蓋部８１を有する。図２に表した矢印Ａ１３のように、蓋部８１は、水平軸Ａ２３を中心として回転可能とされている。そして、バッテリーの固定構造８は、互いに異なる大きさのバッテリーが着脱可能とされている。言い換えれば、バッテリーの固定構造８では、互いに異なる大きさのバッテリーが電源として使用可能とされているとともに、抜き差し可能とされている。バッテリーの固定構造８の詳細については、後述する。
【００２７】
トータルステーション２は、視準望遠鏡部５の内部に設けられたレーザ光源から測距光を射出し、測定対象物までの距離を測定する。具体的には、視準望遠鏡部５の内部に設けられた測距部は、レーザ光源を駆動制御し、レーザ光源から測距光を射出する。レーザ光源から射出された測距光は、視準望遠鏡部５の内部に設けられた光学系を介して測定対象物に照射される。測定対象物により反射された反射測距光は、光学系を介して、視準望遠鏡部５の内部に設けられた受光素子において受光される。測距部は、受光素子から送信された受光信号に基づいて測定対象物までの距離を演算する。そして、前述したように、測距の測定結果が、表示部６１に表示される。
【００２８】
また、視準望遠鏡部５の内部に設けられた測角部には、視準望遠鏡部５の傾斜角を検出する鉛直角エンコーダから送信された検出信号と、架台４の回転角を検出する水平角エンコーダから送信された検出信号と、が入力される。また、視準望遠鏡部５が測定対象物に視準された状態において、視準角度が測定される。そして、前述したように、測角の測定結果が、表示部６１に表示される。
【００２９】
次に、本実施形態に係るバッテリーの固定構造を、図面を参照して説明する。
図３〜図５は、本実施形態に係るバッテリーの固定構造を表す斜視図である。
図６は、本実施形態に係るバッテリーの固定構造を表す平面図である。
図７〜図９は、図６に表した切断面Ａ−Ａにおける断面図である。
【００３０】
なお、図３および図４は、本実施形態に係るバッテリーの固定構造８を架台４の内部から眺めたときの斜視図である。図５は、本実施形態に係るバッテリーの固定構造８を架台４の内部から眺めたときの斜視図であって、保持部８２を省略した斜視図である。図６は、図２に表した矢印Ａ１４の方向からバッテリーの固定構造８を眺めたときの平面図であって、蓋部８１が開いた状態の平面図である。
【００３１】
本実施形態に係るバッテリーの固定構造８は、筐体４１と、蓋部８１と、保持部８２と、バッテリー押さえ部８３と、を備える。筐体４１は、例えばトータルステーション２の架台４のケーシング（筐体）である。図５に表したように、筐体４１は、バッテリー９が通過可能な開口部４１１を有する。
【００３２】
蓋部８１は、筐体４１に対して軸支され、図３に表した矢印Ａ１３のように、水平軸Ａ２３を中心として回転可能とされている。これにより、蓋部８１は、筐体４１の開口部４１１を開閉することができる。図５に表したように、蓋部８１は、突起部８１１を有する。突起部８１１は、蓋部８１が筐体４１の開口部４１１を閉じた状態において、保持部８２に向かって延びている。
【００３３】
図７〜図９に表したように、保持部８２は、コネクタ部８２１を有し、バッテリー９を保持する。保持部８２に設けられたコネクタ部８２１は、バッテリー９の端子９１に接続可能とされている。また、保持部８２は、係止部８２２を有する。図９に表したように、バッテリー９が保持部８２に装着され保持されると、保持部８２の係止部８２２は、バッテリー９に設けられた係止穴９２に引っ掛かる。これにより、係止部８２２は、バッテリー９が蓋部８１の方向に倒れることを抑制する。
【００３４】
バッテリー押さえ部８３は、筐体４１の開口部４１１の周辺部において筐体４１に設けられ、図３および図５に表した上方向（所定方向）Ａ１および下方向（所定方向）Ａ２に移動可能とされている。なお、バッテリー押さえ部８３の移動方向は、上方向および下方向には限定されない。バッテリー押さえ部８３の移動方向は、水平方向であってもよい。本実施形態の説明では、バッテリー押さえ部８３の移動方向が上方向Ａ１および下方向Ａ２である場合を例に挙げる。すなわち、本実施形態における上方向Ａ１および下方向Ａ２は、本発明の所定方向に相当する。
【００３５】
図５および図６に表したように、バッテリー押さえ部８３は、ストッパ部８３１と、当接部８３２と、を有する。図７〜図９に表したように、ストッパ部８３１は、バッテリー押さえ部８３のうちの上部に設けられ、保持部８２から筐体４１の開口部４１１に向かうにつれて開口部４１１の外側に向かって傾斜した傾斜部８３３を有する。当接部８３２は、バッテリー押さえ部８３のうちの下部に設けられ、保持部８２から筐体４１の開口部４１１に向かうにつれて開口部４１１の外側に向かって傾斜した案内部８３４を有する。
【００３６】
次に、バッテリー９の装着手順を、図７〜図９を参照して説明する。
図７に表したように、まず、使用者は、バッテリー９を筐体４１の開口部４１１を通して、バッテリー押さえ部８３を上方向Ａ１に押し上げながら保持部８２に挿入する。このとき、ストッパ部８３１の傾斜部８３３は、保持部８２に対するバッテリー９の装着を案内することができる。すなわち、使用者は、バッテリー９の一部を傾斜部８３３に当てることで、バッテリー押さえ部８３を上方向Ａ１に容易に押し上げることができるとともに、筐体４１の開口部４１１を通して保持部８２に対してバッテリー９を容易に装着することができる。
【００３７】
続いて、図８に表したように、使用者は、バッテリー９を下方向Ａ２に下げる。そうすると、バッテリー９の端子９１が、保持部８２に設けられたコネクタ部８２１に接続される。また、保持部８２の係止部８２２が、バッテリー９に設けられた係止穴９２に引っ掛かる。このとき、図７および図８に表した二点鎖線のように、例えばバッテリー９が装着される位置の下側にスイッチ８２３が設けられている場合には、スイッチ８２３は、バッテリー９が装着されたことを検出することができる。例えば、スイッチ８２３の検出結果は、表示部６１に表示される。これにより、使用者は、蓋部８１を開けなくとも、バッテリー９が装着されているか否かを表示部６１により確認することができる。なお、スイッチ８２３は、必ずしも設けられていなくともよい。
【００３８】
また、図８に表したように、バッテリー９が下方向Ａ２に下がると、バッテリー押さえ部８３は、自重により下方向Ａ２に下がる。
【００３９】
続いて、図８に表した矢印Ａ１５のように、使用者は、水平軸Ａ２３を中心として蓋部８１を回転させ、蓋部８１により筐体４１の開口部４１１を閉じる。そうすると、図９に表したように、バッテリー押さえ部８３は、上方向Ａ１の移動を蓋部８１により抑制されるとともに、バッテリー９の上方向Ａ１の移動を抑制する。
【００４０】
具体的に説明すると、蓋部８１が筐体４１の開口部４１１を閉じた状態において、バッテリー押さえ部８３の当接部８３２は、上方向Ａ１に移動することを蓋部８１の突起部８１１により抑制される。これにより、蓋部８１が筐体４１の開口部４１１を閉じた状態において、バッテリー押さえ部８３は、上方向Ａ１の移動を蓋部８１により抑制される。また、バッテリー押さえ部８３のストッパ部８３１は、上方向Ａ１および下方向Ａ２に交差したバッテリーの側面９３を押さえることができる。本実施形態では、バッテリーの側面９３は、保持部８２に保持された状態のバッテリー９の上面に相当し、上方向Ａ１および下方向Ａ２に対して垂直である。これにより、バッテリー押さえ部８３は、バッテリー９の上方向Ａ１の移動を抑制する。
【００４１】
本願明細書において、「ストッパ部８３１がバッテリー９の側面９３を押さえる」状態および「バッテリー押さえ部８３がバッテリー９を押さえる」状態には、ストッパ部８３１を有するバッテリー押さえ部８３がバッテリー９と接触してバッテリー９を押さえる状態だけではなく、ストッパ部８３１を有するバッテリー押さえ部８３がバッテリー９の上方向Ａ１および下方向Ａ２の移動を抑制可能な程度にバッテリー９と非接触で近接している状態が含まれる。
【００４２】
本実施形態によれば、相対的に大きいバッテリーが電源として使用される場合、および相対的に小さいバッテリーが電源として使用される場合の両方において、バッテリー９の上方向Ａ１および下方向Ａ２の移動が、バッテリー押さえ部８３により抑制される。そのため、例えば相対的に小さいバッテリーの見かけ上の大きさを相対的に大きいバッテリーの大きさと同等にするアダプタが不要になる。これにより、バッテリー９の周辺部の部品点数が増加することを抑え、バッテリー９の周辺部の構造が簡略化することができる。
【００４３】
また、バッテリー押さえ部８３のストッパ部８３１は、上方向Ａ１および下方向Ａ２に交差したバッテリーの側面９３を押さえるため、バッテリー９が上方向Ａ１および下方向Ａ２に移動することをより確実に抑制することができる。
【００４４】
前述したしたように、バッテリー押さえ部８３の当接部８３２が上方向Ａ１に移動することを蓋部８１の突起部８１１により抑制されることで、バッテリー押さえ部８３は、上方向Ａ１の移動を蓋部８１により抑制される。これにより、バッテリー押さえ部８３は、バッテリー９を押さえた状態においてバッテリー９の上方向Ａ１および下方向Ａ２の移動をより確実に抑制することができる。
【００４５】
さらに、前述したように、バッテリー押さえ部８３の当接部８３２は、案内部８３４を有する。バッテリー９が下方向Ａ２に下がったときに、バッテリー押さえ部８３が自重により下方向Ａ２に下がらない場合であっても、当接部８３２の案内部８３４は、蓋部８１が開口部４１１を閉じる途中において蓋部８１の突起部８１１に接触可能とされている。そのため、バッテリー押さえ部８３は、自重により下方向Ａ２に下がらない場合であっても、蓋部８１が開口部４１１を閉じる際に、蓋部８１の突起部８１１に対して案内部８３４において接触し、筐体４１に対して下方向Ａ２により確実に移動する。これにより、バッテリー押さえ部８３は、バッテリー９を押さえ、バッテリー９の上方向Ａ１および下方向Ａ２の移動をより確実に抑制することができる。
【００４６】
次に、本実施形態の変形例について説明する。
なお、本実施形態の変形例に係るバッテリーの固定構造の構成要素が、図１〜図９に関して前述したバッテリーの固定構造８の構成要素と同様である場合には、重複する説明は適宜省略し、以下、相違点を中心に説明する。
【００４７】
図１０は、本実施形態の第１変形例に係るバッテリーの固定構造を表す断面図である。
なお、図１０は、図６に表した切断面Ａ−Ａにおける断面図に相当する。
【００４８】
本変形例に係るバッテリーの固定構造８Ａでは、蓋部８１は、スイッチ８１２を有する。この点において、本変形例に係るバッテリーの固定構造８Ａは、図１〜図９に関して前述したバッテリーの固定構造８とは異なる。その他の構造は、図１〜図９に関して前述したバッテリーの固定構造８の構造と同様である。
【００４９】
スイッチ８１２は、蓋部８１が筐体４１の開口部４１１を閉じた状態において、保持部８２に向かって延びた端子部を有する。スイッチ８１２の端子部は、図１０に表した矢印Ａ３の方向に移動可能とされている。スイッチ８１２は、相対的に大きいバッテリー９Ｌ（図１０に表した二点鎖線参照）と端子部において接触し、相対的に大きいバッテリー９Ｌが装着されたことを検出することができる。一方で、スイッチ８１２は、相対的に小さいバッテリー９Ｓとは端子部において接触しない。例えば、スイッチ８２３の検出結果は、表示部６１に表示される。
【００５０】
本変形例によれば、使用者は、蓋部８１を開けなくとも、相対的に大きいバッテリー９Ｌが装着されているか、あるいは、相対的に小さいバッテリー９Ｓが装着されているか、を表示部６１により確認することができる。
【００５１】
図１１は、本実施形態の第２変形例に係るバッテリーの固定構造を表す断面図である。
なお、図１１は、図６に表した切断面Ａ−Ａにおける断面図に相当する。
【００５２】
本変形例に係るバッテリーの固定構造８Ｂでは、蓋部８１は、窓部８１３と、判別部８１４と、を有する。この点において、本変形例に係るバッテリーの固定構造８Ｂは、図１〜図９に関して前述したバッテリーの固定構造８とは異なる。その他の構造は、図１〜図９に関して前述したバッテリーの固定構造８の構造と同様である。
【００５３】
図１１に表した矢印Ａ５のように、使用者は、蓋部８１に設けられた窓部８１３を通して、蓋部８１の内部（バッテリーの固定構造８Ｂの内部）を覗くことができる。判別部８１４は、窓部８１３の近傍において蓋部８１に設けられ、基部８１４ａと、伸縮部８１４ｂと、を有する。図１１に表した矢印Ａ４のように、伸縮部８１４ｂは、基部８１４ａに対して伸縮可能とされている。例えば、伸縮部８１４ｂのうちの下部には、「大」という文字が表示されている。一方で、伸縮部８１４ｂのうちの上部には、「小」という文字が表示されている。
【００５４】
相対的に大きいバッテリー９Ｌ（図１１に表した二点鎖線参照）が装着された場合には、判別部８１４の伸縮部８１４ｂは、バッテリー９Ｌの側面９３と接触し縮んだ状態になる。そのため、窓部８１３の近傍には、伸縮部８１４ｂのうちの下部に表示された「大」という文字が配置される。一方で、相対的に小さいバッテリー９Ｓが装着された場合には、判別部８１４の伸縮部８１４ｂは、バッテリー９Ｓとは接触せず伸びた状態になる。そのため、窓部８１３の近傍には、伸縮部８１４ｂのうちの上部に表示された「小」という文字が配置される。これにより、使用者は、蓋部８１に設けられた窓部８１３を通して伸縮部８１４ｂの表示を確認することにより、蓋部８１を開けなくとも、相対的に大きいバッテリー９Ｌが装着されているか、あるいは、相対的に小さいバッテリー９Ｓが装着されているか、を確認することができる。
【００５５】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【００５６】
２・・・トータルステーション、  ３・・・基台部、  ４・・・架台、  ５・・・視準望遠鏡部、  ６・・・操作表示部、  ８、８Ａ、８Ｂ・・・バッテリーの固定構造、  ９、９Ｌ、９Ｓ・・・バッテリー、  ３１・・・整準螺子、  ４１・・・筐体、  ６１・・・表示部、  ６２・・・操作部、  ８１・・・蓋部、  ８２・・・保持部、  ８３・・・バッテリー押さえ部、  ９１・・・端子、  ９２・・・係止穴、  ９３・・・側面、  ４１１・・・開口部、  ６２１・・・テンキー部、  ６２２・・・機能選択キー部、  ６２３・・・カーソルキー部、  ８１１・・・突起部、  ８１２・・・スイッチ、  ８１３・・・窓部、  ８１４・・・判別部、  ８１４ａ・・・基部、  ８１４ｂ・・・伸縮部、  ８２１・・・コネクタ部、  ８２２・・・係止部、  ８２３・・・スイッチ、  ８３１・・・ストッパ部、  ８３２・・・当接部、  ８３３・・・傾斜部、  ８３４・・・案内部
【図１】
2018113236.tif 000003
【図２】
2018113236.tif 000004
【図３】
2018113236.tif 000005
【図４】
2018113236.tif 000006
【図５】
2018113236.tif 000007
【図６】
2018113236.tif 000008
【図７】
2018113236.tif 000009
【図８】
2018113236.tif 000010
【図９】
2018113236.tif 000011
【図１０】
2018113236.tif 000012
【図１１】
2018113236.tif 000013